(57)【要約】【課題】網戸の網面に物体を簡単にかつ強固に網戸の網に取り付けられることができ、取り付けた後は網目から外れることがなく、取り外しが極めて容易な取り付け具を提供する。【解決手段】熱可塑性樹脂からなる基板の表面に、同樹脂からなりかつほぼ同一方向に傾いている多数のステムが突出しており、さらにこれらのステムの配列状態が、ステムの傾き方向に対して交差する方向にステムが列をなして並び、そしてこのようなステム列が複数列並行に基板上に存在している配列状態であることを特徴とする、網戸の網面に物体を取り付けるための取り付け具。【選択図】図４
2014122473.tif 000002
【特許請求の範囲】
【請求項１】
熱可塑性樹脂からなる基板の表面に、同樹脂からなりかつほぼ同一方向に傾いている多数のステムが突出しており、さらにこれらのステムの配列状態が、ステムの傾き方向に対して交差する方向にステムが列をなして並び、そしてこのようなステム列が複数列並行に基板上に存在している配列状態であることを特徴とする、網戸の網面に物体を取り付けるための取り付け具。
【請求項２】
ステムの断面形状が四辺形であり、かつステム列方向に隣り合うステムの向き合う面が基板に対してほぼ垂直に立ち上がるフラットな面である請求項１に記載の取り付け具。
【請求項３】
基板上に、基板１ｃｍ２当たり３０〜８０個の密度でステムが存在している請求項１または２に記載の取り付け具。
【請求項４】
ステム高さ方向中間部でのステムの基板と平行な面でのステム断面積が０．０５〜０．４ｍｍ２である請求項１〜３のいずれかに記載の取り付け具。
【請求項５】
ステム先端部と基板表面の距離（Ｚ）が１．０〜４．５ｍｍである請求項１〜４のいずれかに記載の取り付け具。
【請求項６】
ステムが途中で曲がってステム先端部が基板表面に近づくような形状を有している請求項１〜５のいずれかに記載の取り付け具。
【請求項７】
ステムが途中で曲がることにより形成される懐部分の奥行き（ａ）が０．３〜１．２ｍｍで、ステム先端部とステム頂部との距離（ｂ）が０．５〜０．８ｍｍである請求項６に記載の取り付け具。
【請求項８】
ステムの高さ（Ｈ）が１．５〜５．０ｍｍであり、かつステム根元から先端部までの上面からの投影距離（Ｓ２）が０．５〜１．５ｍｍであり、ステムの列方向の厚さ（Ｗ）が０．２〜１．０ｍｍであり、ステム列方向のステム間距離（Ｓ１）が０．１〜２．０ｍｍである請求項１〜７のいずれかに記載の取り付け具。
【請求項９】
ステム先端部に膨らみを有している請求項１〜８のいずれかに記載の取り付け具。
【請求項１０】
網面に取り付ける物体が防虫剤、消臭剤および芳香剤の少なくともいずれか１つを含むケースまたはシートからなる機能性物体である請求項１〜９のいずれかに記載の取り付け具。
【請求項１１】
網面に取り付ける物体が装飾用シートまたは装飾用機器からなる機能性物体である請求項１〜９のいずれかに記載の取り付け具。
【発明の詳細な説明】
【技術分野】
【０００１】
本発明は、網戸の網面に、例えば殺虫剤を含むケースやシート等を取り付けて、網戸による虫の侵入阻止とともに、網戸に取り付けた防虫剤により虫が網戸に近づくことを防止するために用いられたり、または網戸の網面に芳香剤を含むケースやシート等を取り付けて、外部から室内に入ってくる風に芳香を与えるために用いられたり、さらには網戸の網面に装飾を施すために装飾品を取り付けて、網戸に模様を付与するために用いられる等の、すなわち網戸の網面に薬剤含有ケースやシート、あるいは装飾品等を取り付けるために用いられる取り付け具に関する。
【背景技術】
【０００２】
従来より、防虫剤を含有するシートやケースを網戸の網面に面ファスナーを用いて取り付けることは公知である（特許文献１および２）。この取り付け方法は、防虫剤含有シートやケースの裏面に一方の面ファスナー（例えばフック状係合素子を有する面ファスナー）を貼り付け、これを網戸の網面に押し付け、網面の反対側の面からもう一方の面ファスナー（例えばループ状係合素子を有する面ファスナー）を押し付けて、網面を挟んで両方の面ファスナーを係合させて防虫剤含有シートやケースを網戸に取り付けるものである。そして、この公知技術を用いた網戸固定用防虫剤が現在販売されている。
【０００３】
しかしながら、この網面を挟んで両方の面ファスナーを係合させて網戸に固定する技術の場合には、フック面ファスナーとループ面ファスナーの中間に存在する網面に遮られて、両方の面ファスナーが十分に近づくことができず、期待したほども係合力が得られず、自然に或いは網戸の開け閉めの振動や風による振動等により係合が外れて防虫剤シートやケースが脱落するという欠点を有している。
【０００４】
より詳細に説明すると、網面の両面に存在する面ファスナーが係合するためには、一方の係合素子が網戸の網面を貫通して他の面ファスナーの係合素子面まで到達することが必要であるが、従来の一般に市販されている面ファスナーでは網面に遮られて、係合力が発現するに充分な数の係合素子が網面を貫通することが難しく、高い係合力が得られない。高い係合力が得られない場合には、重量のある物体を網戸の網面に取り付けることができず、あるいは取り付けたとしても、時間の経過や網戸やガラス戸の開け閉め時の振動等により係合が外れて、取り付けた物体が脱落するということが生じる。また、網面を挟んでフック面ファスナーとループ面ファスナーを係合させることにより機能性物体を取り付けなければならず、両手で届かない場所に取り付ける際には作業性が極めて悪いという欠点を有し、したがって網戸の網面端周辺部にしか取り付けられないという欠点も有している。
【０００５】
また、網戸の網面に殺虫剤含有ケース等を取り付ける取り付け具として、基板およびその表面から突出する一対の棒状体素子からなり、該棒状体素子の間隔が中間部で一旦広くなり、根元部および先端部で狭くなっている、あるいはその逆の間隔を有している取り付け具が公知である（特許文献３）。
【０００６】
この取り付け具の場合には、網戸を挟んで留める必要がないことから、上記特許文献１の場合のような問題点を有しないが、その反面、一対の棒状体素子の一方が網面を十分貫通できない場合には、係止力が殆ど得られず、さらに棒状体として硬くて太く、かつ長いものが用いられることが多く、貫通した棒状体の先端に網面から垂直に突出していることから人体が先端部に接触すると場合により傷を与える場合がある等の問題点を有している。
【先行技術文献】
【特許文献】
【０００７】
【特許文献１】特開２００５−１８０１４８号公報
【特許文献２】特開２０１１−１９０６０４号公報
【特許文献３】特開２０１１−０５８１６６号公報
【発明の概要】
【発明が解決しようとする課題】
【０００８】
本発明は、上記した面ファスナーや取り付け具を用いる公知技術の問題点を解消するものであり、具体的には、網面を挟んでもう一方の面ファスナーで留める必要がないにもかかわらず殺虫剤含有ケース等が網面から落下することが殆どなく、かつ取り付け具の素子の一部が網面を貫通しなかったことによる取り付け力の低下や網面を貫通した棒状体素子の先端部が人体に傷を与えるという懸念を解消するものである。
【課題を解決するための手段】
【０００９】
すなわち、本発明は、熱可塑性樹脂からなる基板の表面に、同樹脂からなりかつほぼ同一方向に傾いている多数のステムが突出しており、さらにこれらのステムの配列状態が、ステムの傾き方向に対して交差する方向にステムが列をなして並び、そしてこのようなステム列が複数列並行に基板上に存在している配列状態であることを特徴とする、網戸の網面に物体を取り付けるための取り付け具である。
【００１０】
そして好ましくは、このような取り付け具において、上記ステムの断面形状が四辺形であり、かつステム列方向に隣り合うステムの向き合う面が基板に対してほぼ垂直に立ち上がるフラットな面である場合である。
また好ましくは、上記の取り付け具において、基板上に、基板１ｃｍ２当たり３０〜８０個の密度でステムが存在している場合であり、またステム高さ方向中間部でのステムの基板と平行な面でのステム断面積が０．０５〜０．４ｍｍ２である場合であり、またステム先端部と基板表面の距離（Ｚ）が１．０〜４．５ｍｍである場合である。
そして好ましくは、上記の取り付け具において、ステムが途中で曲がってステム先端部が基板表面に近づくような形状を有している場合であり、さらにステムが途中で曲がることにより形成される懐部分の奥行き（ａ）が０．３〜１．２ｍｍで、ステム先端部とステム頂部との距離（ｂ）が０．５〜０．８ｍｍである場合である。
【００１１】
また好ましくは上記の取り付け具において、ステムの高さ（Ｈ）が１．５〜５．０ｍｍであり、かつステム根元から先端部までの上面からの投影距離（Ｓ２）が０．５〜１．５ｍｍであり、ステムの列方向の厚さ（Ｗ）が０．２〜１．０ｍｍであり、ステム列方向のステム間距離（Ｓ１）が０．１〜２．０ｍｍである場合であり、さらにステム先端部に膨らみを有している場合である。
【００１２】
そして本発明は、網面に取り付ける物体が防虫剤、消臭剤および芳香剤の少なくともいずれか１つを含むケースまたはシートからなる機能性物体である上記取り付け具であり、また、本発明は、網面に取り付ける物体が装飾用シートまたは装飾用機器からなる機能性物体である上記取り付け具である。
なお、本発明の網戸の網面に取り付ける物体は、上記した防虫剤や消臭剤や芳香剤等を含むケースやシート、装飾用シートや装飾用機器等で代表される機能性物体や、さらには、生活雑貨等で代表される日用品等も対象になる。また、本発明の網戸とは、一般的に窓や扉に設置される網戸以外に、網面を有する仕切りや窓や扉等を含むものである。
【発明の効果】
【００１３】
本発明の取り付け具を網戸の網面に取り付けるためには、ステムの傾き方向が下方向となるように取り付け具を網面に平行な状態を保ち、この状態で取り付け具のステム（以下、係合素子と称する場合がある）を網戸の網目に斜め下方向に押し付け、ステム先端を容易に貫通させることができるため、それにより機能性物体を網面に簡単に取り付けることができ、そして取り付ける機能性物体がある程度の重量を有するものであっても簡単かつ強固に網戸の網に取り付けられることができる。しかも取り付けた後は取り付けた物体の重みにより自然にあるいは振動により網目から外れることがなく、そして上記した従来技術のように、ループ面ファスナーを使用することなく簡単に網目に取り付けることができ、また取り外す際には、機能性物体を斜め上方向に持ち上げことにより容易に取り外すことができるため、取り付けや取り外しが極めて容易で、かつ取り付けや取り外しにより網戸構成モノフィラメントが切断されることもない。さらに、網面からは、多くのステム先端部が密度高く貫通しているため、貫通している係合素子に人体が触れても、傷を付けることがない。
【図面の簡単な説明】
【００１４】
【図１】本発明の網戸取り付け具の一例を示す斜視図である。
【図２】図１に示す網戸取り付け具をY方向から見た側面図である。
【図３】本発明の網戸取り付け具を構成する好適なステムの一例を図１に示すX方向から見た図である。
【図４】本発明の網戸取り付け具を有する物体の一例を網戸の網面に取り付けた場合の断面図である。
【図５】本発明の網戸取り付け具を構成する他の好適なステムの一例を図１に示すX方向から見た図である。
【発明を実施するための形態】
【００１５】
次に、図面に基づき本発明を説明する。
本発明の網戸取り付け具は、図１に示すように、熱可塑性樹脂からなる基板（１）とその表面に突出する同樹脂からなる多数のステム（２）から構成される。基板（１）の厚さとしては０．１〜１．０ｍｍが好ましい。
【００１６】
基板およびステムを形成する熱可塑性樹脂としては、ポリエチレン、ポリプロピレン等のポリオレフィン系樹脂、ナイロン系樹脂、ポリエステル系樹脂、エチレン−ビニルアルコール共重合体等の延伸可能な樹脂が好適な例として挙げられる。
【００１７】
ステム（２）は、いずれも、基板（１）に対してほぼ同一方向に傾きを有しており（図１ではＴ方向）、かつ、好ましくは、該傾き方向に対して交差する方向（図１ではＸ方向）に、多数のステムが並列に列をなして並んでおり、さらにこのようなステム列が基板上に平行に複数列（図１では３列）存在しており、そして個々のステムは、好ましくは、図３や図５に示すように途中で傾き方向でかつ下方向に曲がり、いわゆる波型形状となっている。
【００１８】
また、本発明の取り付け具を構成するステムは、図２に示すように、列方向に隣り合うステムと向き合う面が基板に対してほぼ垂直に立ち上がるフラットな平面となっており、かつステムの基板面に平行な面での断面形状が四辺形となっているのが好ましく、このような断面形状を有していることにより、ステムの根元付近まで網目に貫通し易く、しかも貫通したステムが網面から抜け難いという効果をもたらす。
【００１９】
従来からプラスチック基板面に、同面から立ち上がる多数のステムを有し、かつその先端部がきのこ状あるいは膨頭状となった面ファスナーが知られているが、このような面ファスナーの場合、ステムの断面形状は円形であり、かつステムも根元から先端に行くにしたがって細くなっているものが大半であるが、このようなものと比べて、断面形状が四辺形であり、かつ列方向に隣り合うステムと向き合う面が基板に対してほぼ垂直に立ち上がるフラットな面である場合には、網面を貫通し易く、かつ網面から抜け難いというメリットを有している。
【００２０】
本発明の取り付け具において、ステムは上記したように、ほぼ同一方向に傾いていることが必要であり、ほぼ同一方向に傾いていることにより、容易に多数のステムが網面を貫通でき、さらに網面に取り付けられ、自然にあるいは振動により網面から抜け出ることがない。傾きの角度としては、基板面から３０〜８５°、より好ましくは４０〜８０°の角度が好ましい。そして、ステムはほぼ同一方向に傾いていることが必要であり、ステムが自由勝手な異なった方向に傾いている場合には、容易に多数のステムが網面を貫通できず、高い取り付け力が得られない。なお、ここでいうほぼ同一方向とは、個々ステムの傾きのばらつきが全てのステムの傾きの平均角度に対して、プラスマイナス２０°以内であればよく、プラスマイナス１５°以内が好ましく、プラスマイナス１０°以内がより好ましく、プラスマイナス７°以内がさらに好ましく、プラスマイナス５°以内が特に好ましい。なお、全ステムの中で１割以内であれば上記範囲から外れても本発明の効果を有する限り特に支障はない。
【００２１】
基板（１）の裏面には、図４に示すように、防虫剤や芳香剤等の機能性物体等で代表される物体（３）が一体化されている。図４は、網戸の網を構成しているモノフィラメント（４）に、本発明の取り付け具付により物体（３）が取り付けられている状態を示しており、取り付け具のステム列方向（Ｘ方向）に直交する方向（Ｙ方向）での断面図である。
【００２２】
基板（１）の裏面に上記したような物体（３）を取り付ける方法としては、接着剤、粘着材、面ファスナー、あるいは基板裏面に取り付けたフック等を物体裏面に取り付けた穴等に差し込む方法、基板（１）に物体（３）を収納可能な筐体または袋状物を取り付けた後に物体（３）を収納することで物体（３）を取り付ける方法等のいずれであってもよい。
取り付ける物体（３）としては、上記した防虫剤、芳香剤、消臭剤、またはこれらを内在させたシート、ケース、箱体および包装体の他に、遮光調整シート、室内装飾用の飾り（クリスマスツリーに付ける飾りのようなもの）等、網戸に模様を付与するための模様付きシート、電飾品等で代表される装飾用シートまたは装飾用器具が挙げられる。
【００２３】
本発明において、取り付け具を構成するステムのサイズとしては、ステム高さ方向中間部でのステムの基板と平行な面でのステム断面積が０．０５〜０．４ｍｍ２であるのが好ましい。この範囲より小さいと十分な取り付け力が得られず、またこの範囲より大きいと逆に網面を貫通し難く、これまた十分な取り付け力が得られない。より好ましくは０．１〜０．３５ｍｍ２の範囲である。
【００２４】
またステムの最頂部と基板表面の距離、すなわちステム高さ（Ｈ）としては、１．５〜５．０ｍｍの範囲が好ましく、この範囲より短いと網面を貫通することが難しく、またこの範囲より長すぎるとこれまた網面を貫通させるのが難しくなり、さらに貫通させた先がものに触れ易く、機能性物体が外れ易くなる。より好ましくは、１．７〜４．５ｍｍの範囲である。
【００２５】
またステム先端部と基板間の距離（図３や図４で示すＺ）が、１．０〜４．５ｍｍの範囲が好ましい。より好ましくは１．２〜４．０ｍｍ、さらに好ましくは１．５〜３．５ｍｍの範囲である。ステム先端部と基板間の距離（図３や図４で示すＺ）が、１．０ｍｍより短い場合には、網戸モノフィラメントとの係合が得られず、逆に４．５ｍｍより長い場合にもステムの折れや曲がりなどにより、網への挿入性が悪くなる。
【００２６】
さらにステム根元から先端部までの上面からの投影距離（図３や図４に示すＳ２）は０．５〜１．５ｍｍが好ましく、この範囲より短い場合には十分な取り付け力が得られず、またこの範囲より長い場合にはこれまた網面を貫通させることが難しく、十分な取り付け力が得られない。
【００２７】
そして、ステムの列方向の厚さ（図２に示すＷ）としては０．２〜１．０ｍｍが好ましく、この範囲より薄い場合には、ステムの強度が低く、またこの範囲より厚い場合には、網目を貫通することが難しくなる。
【００２８】
本発明の取り付け具は、前記したように、ステムの傾き方向に対して交差する方向にステムが列をなして並び、そしてこのようなステム列が複数列並行に基板上に存在している配列状態を有していることが必要である。ステムの傾き方向に対して交差する方向にステムが列をなして並んでいることにより、ステムが網目を抵抗なく貫通し易く、かつ機能性物体が重量あるものであっても取り付けることが可能となる。
【００２９】
ステムの傾き方向に対して交差する方向にステムが列をなして並びとは、ステムの傾き方向（図１に示すＴ方向）に対して列をなすステムの角度が３０〜１５０°の範囲にある状態を言い、この範囲にあることによりステムが網目を抵抗なく貫通し、物体を取り付け易くなる。好ましくは６０〜１２０°の範囲であり、より好ましくは７０〜１１０°である。
【００３０】
ステム列方向のステム間距離（図２に示すＳ１）としては、０．１〜２．０ｍｍが好ましく、この範囲より短い場合には、ステムが網目に貫通し難く、逆にこの距離より長い場合には、ステム密度が低くなり、これまた十分な取り付け力が得られない。また同様の理由により、ステム列方向のステム間距離（Ｓ１）としては、ステム幅（Ｗ）の０．５〜５倍の範囲が好ましい。
【００３１】
さらにステム列が複数列並列に基板上に存在していることが必要であり、複数列並列に存在することにより、ステムが網面を貫通し易くなるとともに、取り付け状態が安定し、取り付け力も向上することとなり、機能性物体の重量を分散して網面に保持することができるため、網面が破損されることが少ない。
【００３２】
さらに本発明の取り付け具において、ステム密度としては、基板１ｃｍ２当たり３０〜８０個が好ましく、この範囲よりも少ない場合には、十分な取り付け力を得るためには、面積の大きい取り付け具を使用することが必要となり、機能性物体が小さい容器等の場合には不自然となり、逆にこの範囲より多い場合には、網面を貫通し難く高い取り付け力が得られにくくなる。より好ましくは、密度が４０〜７０個／ｃｍ２の範囲の場合である。
【００３３】
さらに本発明の取り付け具を構成するステムとしては、ステムの途中で曲がり、図３や図５に示すようにステム先端部が基板面に近づくような形状を有しているのが好ましく、このような形状を有していることにより、網面から脱落し難くなる。その際の形状としては、ステムが途中で曲がることにより形成される懐部分の深さ（図３および図５に示すａ）が０．３〜１．５ｍｍが好ましく、より好ましくは０．３５〜０．８ｍｍ、さらに好ましくは０．４〜０．６ｍｍの範囲である。またステム先端部とステム頂部との距離（図３および図５に示すｂ）としては、０．４〜０．８ｍｍが好ましく、より好ましくは０．４５〜０．６ｍｍである。
【００３４】
さらに、ステムの先端部分には、図５に示すように膨らみを有しているのが、網面からの脱落を防ぎ、ステム先端部に人体が触れた場合に人体に傷等を与えることがより少なくなるためより好ましい。
【００３５】
本発明の取り付け具において、ステム列１ｃｍ当たり５〜２０本のステムが存在しており、そしてこのようなステム列が取り付け具長さ１ｃｍ当たり２〜７列存在しているのが、網戸への取り付け性や取り付け力の点で好ましい。より好ましくはステム列１ｃｍ当たり７〜１５本のステムが存在しており、そのようなステム列が取り付け具１ｃｍ当たり３〜５列存在している場合である。
【００３６】
次に、本発明の取り付け具の製造方法について説明する。図１、図３及び図４の形状であれば特に公知のステムの製造方法を採用可能であるが、一例としてまず、図１のＸ方向から見た形状で示すように、あるいは、図３および図４のステム断面が複数並んだ状態で示すようなスリットを有するノズルから、熱可塑性樹脂を溶融押出しし、基板の表面に、テープ長さ方向に連続している列条を複数列有するテープを成形する。次に、得られたテープの表面に存在する列条に小間隔で列条の先端から付け根付近までテープ長さ方向と交わる方向に切れ目を入れる。切れ目の間隔としては０．２〜２．０ｍｍが適切である。次いで、テープを長さ方向に延伸する。延伸倍率としては、延伸後のテープ長さが元のテープの長さの１．５〜４．０倍となる程度が好ましい。この延伸により、列条に入れられた切れ目が広がり、列条が、独立した多数のステムからなるステム列となる。このようにして得られた延伸テープを長さ方向に直角に切断すると本発明の取り付け具が得られる。
【００３７】
本発明で取り付ける対象の網戸に関しては特に限定されないが、現在一般に１８〜３０メッシュのものが用いられており、本発明の取り付け具が対象とする網戸としては、網目が１８〜３０メッシュのものが好適である。そして、網戸の網目を構成しているモノフィラメントの直径が０．１２〜０．３５ｍｍが好適である。モノフィラメントは合成繊維、あるいは金属繊維やガラス繊維の表面を樹脂コートしたものでもよい。一般に網戸を構成する網目としては経糸織密度と緯糸織密度を同一とした平織構造体が用いられる。
【００３８】
本発明の取り付け具を用いて機能性物体を網戸の網面に取り付ける際には、雨により機能性物体が濡れることを少しでも軽減するために、室内側に機能性物体を取り付けるのが好ましい。また、外部からの視覚を重視する場合には、室外側に取り付けても構わない。その際には、取り付けたことにより、ガラス戸の開閉が妨げられないように、取り付け物の厚みは合計で２０ｍｍ以内とするのが好ましい。
【００３９】
本発明の取り付け具の大きさとしては、縦×横で１．０ｃｍ×１．０ｃｍ〜５ｃｍ×５ｃｍの大きさが適当である。もちろん、取り付け物の大きさや重さ形状等により取り付け具を複数個用いてもよい。
【００４０】
本発明の取り付け具は、前記したように、網戸の網面に物体を取り付けるために用いられる取り付け具であり、具体的には、殺虫剤や防虫剤等を含むケースやシート、消臭剤や芳香剤を含有するケースやシート、装飾用品や電飾品等で代表される機能性物体を網戸に取り付けるのに用いられる取り付け具であり、これら以外にも網戸に日用品等の物体を取り付ける際の取り付け具として使用できる。
【符号の説明】
【００４１】
１  ：基板
２  ：ステム
３  ：物体
４  ：網戸の網を構成するモノフィラメント
ａ  ：ステムが途中で曲がることにより形成される懐部分の奥行き
ｂ  ：ステム先端部とステム頂部との距離
Ｘ  ：ステム列方向
Ｙ  ：ステム列方向に直交する方向
Ｔ  ：ステム傾き方向    
Ｈ  ：ステム高さ
Ｗ  ：ステム幅
Ｚ  ：ステム先端部と基板表面との距離
Ｑ  ：係合素子列条間隔
Ｓ１：ステム列方向のステム間距離
Ｓ２：ステム根元から先端部までの上面からの投影距離
【図１】
2014122473.tif 000003
【図２】
2014122473.tif 000004
【図３】
2014122473.tif 000005
【図４】
2014122473.tif 000006
【図５】
2014122473.tif 000007